(57)【要約】【課題】他の物体との接触によって、本発明の包装袋や他の物体が損傷するのを抑制することができる包装袋を提供することを課題とする。【解決手段】シート材を用いて形成されて対向するように配置される一対の対向壁部と、シート材を用いて形成されて一対の対向壁部のそれぞれと対向するように前記一対の対向壁部間に配置される中間壁部とを備えると共に、各対向壁部と中間壁部との間に物品を収容可能な収容空間が形成される包装袋であって、前記中間壁部は、前記一対の対向壁部との対向方向において、該一対の対向壁部と重なり合わない非重合端部を一方向の一端部に備えており、前記各対向壁部は、前記一方向における前記非重合端部と前記収容空間との間の位置で、収容空間を閉塞するように前記中間壁部と連結される閉塞連結部を備える。【選択図】図１
2018012539.tif 000002
【特許請求の範囲】
【請求項１】
シート材を用いて形成されて対向するように配置される一対の対向壁部と、シート材を用いて形成されて一対の対向壁部のそれぞれと対向するように前記一対の対向壁部間に配置される中間壁部とを備えると共に、各対向壁部と中間壁部との間に物品を収容可能な収容空間が形成される包装袋であって、
前記中間壁部は、前記一対の対向壁部との対向方向において、該一対の対向壁部と重なり合わない非重合端部を一方向の一端部に備えており、
前記各対向壁部は、前記一方向における前記非重合端部と前記収容空間との間の位置で、収容空間を閉塞するように前記中間壁部と連結される閉塞連結部を備える包装袋。
【請求項２】
前記各対向壁部は、前記閉塞連結部よりも前記一方向の一端側の領域であって前記中間壁部と連結されていない非連結部を備える請求項１に記載の包装袋。
【請求項３】
前記各対向壁部は、前記閉塞連結部よりも前記一方向の一端側の位置で前記シート材が折り曲げられて形成された折曲部を備える請求項１又は２に記載の包装袋。
【請求項４】
前記閉塞連結部は、中間壁部と剥離可能に連結されており、
前記各対向壁部は、前記一方向に直交する他方向における少なくとも一方の端部であって中間壁部と剥離可能に連結される側方連結部を更に備え、
該側方連結部は、前記閉塞連結部と連なるように形成される請求項１乃至３の何れか一項に記載の包装袋。
【発明の詳細な説明】
【技術分野】
【０００１】
本発明は、物品を収容する収容部を複数備える包装袋に関する。
【背景技術】
【０００２】
従来から、包装袋が備える一つの収容部に異なる性状を有する複数の物品が収容される場合がある。斯かる場合、一つの物品の性状の影響によって他の物品の性状が変化してしまう虞がある。例えば、水分の含有量が異なる２つの物品を一つの収容部に収容した場合、一方の物品に含有される水分が他方の物品に移行し、他方の物品の品質を低下させる虞がある。このため、複数の収容部を備える包装袋を用い、各物品を異なる収容部に収容することで、各物品を隔離して収容し、包装袋内で各物品の性状が変化してしまうのが防止されている。
【０００３】
上記のような複数の収容部を備える包装袋としては、例えば、シート材を用いて形成されて対向するように配置される一対の対向壁部と、シート材を用いて形成されて一対の対向壁部のそれぞれと対向するように一対の対向壁部間に配置される中間壁部とを備えるものが知られている（特許文献１参照）。斯かる包装袋では、一方の対向壁部と中間壁部との間に物品を収容可能な収容部が形成されると共に、他方の対向壁部と中間壁部との間にも物品を収容可能な収容部が形成される。そして、各収容部に物品が収容された状態で、一対の対向壁部のそれぞれの外周端部と中間壁部の外周端部とが全域に亘ってシールされることで、各収容部が密閉された状態となる。これにより、各物品が隔離された状態で収容される。
【先行技術文献】
【特許文献】
【０００４】
【特許文献１】特開２０１１−０２５９４４号公報
【発明の概要】
【発明が解決しようとする課題】
【０００５】
ところで、上記のような包装袋では、一対の対向壁部のそれぞれの外周端部の全域と中間壁部の外周端部の全域とがシールされて形成された連結部が包装袋の外周端部の全域に亘って形成されることになる。このような連結部は、包装袋の他の領域よりも剛性が高くなる。このため、複数の包装袋を搬送等する際に、隣接する包装袋における連結部同士が接触したり、連結部と対向壁部とが接触したりすることで、包装袋が損傷する虞がある。
【０００６】
そこで、本発明は、他の物体との接触によって、本発明の包装袋や他の物体が損傷するのを抑制することができる包装袋を提供することを課題とする。
【課題を解決するための手段】
【０００７】
本発明に係る包装袋は、シート材を用いて形成されて対向するように配置される一対の対向壁部と、シート材を用いて形成されて一対の対向壁部のそれぞれと対向するように前記一対の対向壁部間に配置される中間壁部とを備えると共に、各対向壁部と中間壁部との間に物品を収容可能な収容空間が形成される包装袋であって、前記中間壁部は、前記一対の対向壁部との対向方向において、該一対の対向壁部と重なり合わない非重合端部を一方向の一端部に備えており、前記各対向壁部は、前記一方向における前記非重合端部と前記収容空間との間の位置で、収容空間を閉塞するように前記中間壁部と連結される閉塞連結部を備える。
【０００８】
斯かる構成によれば、前記中間壁部は、前記一対の対向壁部との対向方向において、該一対の対向壁部と重なり合わない非重合端部を一方向の一端部に備えている。そして、前記各対向壁部は、前記一方向における前記非重合端部と前記収容空間との間の位置で、収容空間を閉塞するように前記中間壁部と連結される閉塞連結部を備えている。これにより、各閉塞連結部よりも一方向の一端側に非重合端部が形成される。また、該非重合端部は、一対の対向壁部と重なり合わないため、各閉塞連結部と中間壁部との連結部分よりも柔軟性を有する。
【０００９】
このため、本発明の包装袋に一方向の一端側から他の物体が接近した際に、非重合端部が他の物体と接触するため、包装袋と他の物体との接触による衝撃が非重合端部に緩衝される。これにより、中間壁部と各閉塞連結部とが連結された部分が他の物体と接触する場合よりも、本発明の包装袋や他の物体が破損するのを抑制することができる。
【００１０】
前記各対向壁部は、前記閉塞連結部よりも前記一方向の一端側の領域であって前記中間壁部と連結されていない非連結部を備えてもよい。
【００１１】
斯かる構成によれば、前記各対向壁部は、前記一方向の一端部における前記閉塞連結部よりも前記一方向の一端側の領域であって前記中間壁部と連結されていない非連結部を備える。このため、非連結部は、各閉塞連結部と中間壁部との連結部分よりも柔軟性を有する。
【００１２】
このため、本発明の包装袋に対して一方向の一端側から他の物体が接触した際に、前記非重合端部に加えて非連結部によっても、包装袋と他の物体との接触による衝撃が緩衝される。これにより、中間壁部と閉塞連結部とが連結された部分が他の物体と接触する場合よりも、本発明の包装袋や他の物体が破損するのを抑制することができる。
【００１３】
前記各対向壁部は、前記閉塞連結部よりも前記一方向の一端側の位置で前記シート材が折り曲げられて形成された折曲部を備えてもよい。
【００１４】
斯かる構成によれば、前記各対向壁部は、前記閉塞連結部よりも前記一方向の一端側の位置で前記シート材が折り曲げられて形成された折曲部を備える。該折曲部では、対向壁部の他の部分よりも剛性が増すことになる。これにより、本発明の包装袋に対して一方向の一端側から他の物体が接触した際に、中間壁部と閉塞連結部との連結部分へ加わる衝撃を前記折曲部によっても緩衝することができる。このため、中間壁部と閉塞連結部との連結が意図せずに解かれたり、連結部分が損傷したりするのを抑制することができる。
【００１５】
前記閉塞連結部は、中間壁部と剥離可能に連結されており、前記各対向壁部は、前記一方向に直交する他方向における少なくとも一方の端部であって中間壁部と剥離可能に連結される側方連結部を更に備え、該側方連結部は、前記閉塞連結部と連なるように形成されてもよい。
【００１６】
斯かる構成によれば、前記各対向壁部は、中間壁部と剥離可能に連結される前記閉塞連結部と、前記一方向に直交する他方向における少なくとも一方の端部であって中間壁部と剥離可能に連結される側方連結部とを備えており、該側方連結部は、前記閉塞連結部と連なるように形成される。
【００１７】
これにより、各閉塞連結部と中間壁部とを剥離させる動作に連続して側方連結部と中間壁部とを剥離させることができるため、閉塞連結部のみが中間壁部から剥離される場合よりも、収容空間を容易に広く開封することができ、収容空間の物品をより容易に取り出すことができる。
【発明の効果】
【００１８】
以上のように、本発明によれば、他の物体との接触によって、本発明の包装袋や他の物体が損傷するのを抑制することができる。
【図面の簡単な説明】
【００１９】
【図１】本発明の一実施形態に係る包装袋を構成する一対の対向壁部と中間壁部とを示した斜視図。
【図２】同実施形態に係る包装袋の断面図であって、一対の対向壁部の対向方向及び第一方向に沿った断面を示した図。
【図３】物品が収容されて閉塞された状態の同実施形態に係る包装袋の断面図であって、一対の対向壁部の対向方向及び第一方向に沿った断面を示した図。
【図４】物品が収容されて閉塞された状態の他の実施形態に係る包装袋の断面図であって、一対の対向壁部の対向方向及び第一方向に沿った断面を示した図。
【発明を実施するための形態】
【００２０】
以下、本発明の実施形態について図１〜３を参照しながら説明する。なお、以下の図面において同一または相当する部分には同一の参照符号を付しその説明は繰り返さない。また、下記の説明における一方向（第一方向）とは、各図の座標軸におけるｘ軸方向であり、一方向に直交する他方向（第二方向）とは、各図の座標軸におけるｙ軸方向であり、対向方向とは、各図の座標軸におけるｚ軸方向である。
【００２１】
本実施形態に係る包装袋１は、図１に示すように、シート材を用いて形成される。シート材を構成する素材としては、特に限定されるものではなく、物品の性状等に応じて適宜選択されるものである。例えば、ナイロン、ポリエチレン、ポリプロピレン、ポリエチレンテレフタレート等の樹脂素材が挙げられる。また、これらの樹脂素材から形成されるフィルムにアルミニウム等の金属層が積層されたフィルムを用いることもできる。
【００２２】
また、包装袋１は、シート材を用いて形成されて対向するように配置される一対の対向壁部２，２と、シート材を用いて形成されて一対の対向壁部２，２間に配置される中間壁部３とを備える。中間壁部３は、一対の対向壁部２，２のそれぞれと対向するように配置される。また、包装袋１は、一対の対向壁部２，２と、中間壁部３との間に、物品を収容可能な収容空間Ｒを備える。また、各対向壁部２及び中間壁部３は、包装袋１を一対の対向壁部２，２の対向方向に沿って見た際に、四角形状となるように形成される。
【００２３】
各対向壁部２は、中間壁部３との間に物品を収容可能に形成された（即ち、中間壁部３と共に前記収容空間Ｒを形成する）対向壁本体部２ａと、各対向壁部２の一方向（以下、第一方向とも記す）の一端部に形成されて指などで摘むことが可能な摘部２ｂと、各対向壁部２の第一方向の一端部に形成されて各対向壁部２を構成するシート材（以下、対向壁部用シート材とも記す）が折り曲げられて形成された折曲部２ｃとを備える。つまり、各対向壁部２は、第一方向の一端部に摘部２ｂ及び折曲部２ｃを備える。
【００２４】
前記対向壁本体部２ａは、第一方向の一端部以外の外周端部であって中間壁部３に連結される外周連結部２ｄを備える。つまり、各対向壁部２は、第一方向の一端部（摘部２ｂ及び折曲部２ｃを備える端部）以外の外周端部に外周連結部２ｄを備える。
【００２５】
外周連結部２ｄは、第一方向に直交する他方向（以下、第二方向とも記す）における対向壁本体部２ａの両端部（即ち、第二方向における対向壁部２の両端部）であって中間壁部３と剥離可能に連結される一対の側方連結部２ｅ，２ｅと、第一方向における対向壁本体部２ａの他端部（即ち、第一方向における対向壁部２の他端部）であって中間壁部３と連結される底側連結部２ｆとを備える。各側方連結部２ｅは、第一方向に延びるように帯状に形成される。また、各側方連結部２ｅは、第一方向の一端側の領域であって他端側の領域よりの幅が狭くなるように形成された幅狭部２ｇと、第一方向の他端側の領域であって一端側の領域（幅狭部２ｇ）よりの幅が広くなるように形成された幅広部２ｈとを備える。底側連結部２ｆは、第二方向に延びるように帯状に形成される。
【００２６】
また、対向壁本体部２ａは、前記収容空間Ｒを閉塞するように中間壁部３と剥離可能に連結される閉塞連結部２ｉを備える。該閉塞連結部２ｉは、対向壁本体部２ａの第一方向の一端部（即ち、第一方向における対向壁部２の一端部）に形成される。また、閉塞連結部２ｉは、第二方向に延びる帯状に形成される。
【００２７】
そして、各側方連結部２ｅの第一方向の一端部（具体的には、幅狭部２ｇ）が閉塞連結部２ｉの第二方向の両端部と連結され、各側方連結部２ｅの第一方向の他端部（具体的には、幅広部２ｈ）が底側連結部２ｆの第二方向の両端部と連結される。これにより、一対の側方連結部２ｅと底側連結部２ｆと閉塞連結部２ｉとで囲まれた領域と中間壁部３との間に収容空間Ｒが形成される。
【００２８】
前記摘部２ｂは、各対向壁部２と中間壁部３とが対向する側の反対側（即ち、包装袋１の外側）へ、対向壁部用シート材の第一方向の一端部が折り曲げられる（本実施形態では、第一方向の一端側から他端側へ折り返される）ことで、各対向壁部２の第一方向の一端部に形成される。摘部２ｂは、第二方向に延びる帯状に形成される。また、摘部２ｂは、対向壁本体部２ａと連結されないように構成される。
【００２９】
前記折曲部２ｃは、第二方向に延びるように形成される。また、折曲部２ｃは、対向壁本体部２ａの第一方向の一端部と摘部２ｂの第一方向の一端部とが連結される。これにより、摘部２ｂが折曲部２ｃを軸に揺動可能に構成される。
【００３０】
前記中間壁部３は、各対向壁部２との間に物品を収容可能に形成された（即ち、各対向壁部２の対向壁本体部２ａと共に前記収容空間Ｒを形成する）中間壁本体部３ａと、一対の対向壁部２，２の対向方向において一対の対向壁部２，２と重なり合わない非重合端部３ｂとを備える。該非重合端部３ｂは、中間壁部３における中間壁本体部３ａよりも第一方向の一端側に形成される。
【００３１】
前記中間壁本体部３ａは、第一方向の一端部以外の外周端部であって各対向壁部２（具体的には、外周連結部２ｄ）に連結される外周連結部３ｄを備える。該外周連結部３ｄは、中間壁部３における非重合端部３ｂよりも第一方向の他端側に形成される。
【００３２】
外周連結部３ｄは、第二方向における中間壁本体部３ａの両端部（即ち、第二方向における中間壁部３の両端部）であって各対向壁部２（具体的には、一対の側方連結部２ｅ，２ｅ）と剥離可能に連結される一対の側方連結部３ｅ，３ｅと、第一方向における中間壁本体部３ａの他端部（即ち、第一方向における中間壁部３の他端部）であって各対向壁部２（具体的には、底側連結部２ｆ）と連結される底側連結部３ｆとを備える。各側方連結部３ｅは、第一方向に延びるように帯状に形成される。また、各側方連結部３ｅは、第一方向の一端側の領域であって他端側の領域よりの幅が狭くなるように形成された幅狭部３ｇと、第一方向の他端側の領域であって一端側の領域（幅狭部３ｇ）よりの幅が広くなるように形成された幅広部３ｈとを備える。底側連結部３ｆは、第二方向に延びるように帯状に形成される。
【００３３】
また、中間壁本体部３ａは、前記収容空間Ｒを閉塞するように各対向壁部２（具体的には、閉塞連結部２ｉ）と剥離可能に連結される閉塞連結部３ｉを備える。該閉塞連結部３ｉは、中間壁本体部３ａの第一方向の一端部（即ち、包装袋１における非重合端部３ｂよりも第一方向の他端側）に形成される。また、閉塞連結部２ｉは、第二方向に延びる帯状に形成される。
【００３４】
そして、各側方連結部３ｅの第一方向の一端部（具体的には、幅狭部３ｇ）が閉塞連結部３ｉの第二方向の両端部と連結され、各側方連結部３ｅの第一方向の他端部（具体的には、幅広部３ｈ）が底側連結部３ｆの第二方向の両端部と連結される。これにより、一対の側方連結部３ｅと底側連結部３ｆと閉塞連結部３ｉとで囲まれた領域と各対向壁部２との間に収容空間Ｒが形成される。
【００３５】
非重合端部３ｂは、包装袋１における第一方向の一端部に形成される。また、非重合端部３ｂは、中間壁本体部３ａの第一方向の一端部と連なるように形成される。つまり、非重合端部３ｂは、閉塞連結部３ｉよりも中間壁部３における第一方向の一端側に形成される。つまり、閉塞連結部３ｉは、第一方向において、中間壁本体部３ａの収容空間Ｒを形成する領域と非重合端部３ｂとの間に形成される。また、非重合端部３ｂは、第二方向に延びる帯状に形成される。
【００３６】
上記のように構成される包装袋１は、各対向壁部２の外周連結部２ｄと中間壁部３の外周連結部３ｄとが連結され、各対向壁部２の閉塞連結部２ｉと中間壁部３の閉塞連結部３ｉとが連結されない状態となることで、図２示すように、一対の対向壁部２，２と中間壁部３との間（具体的には、各収容空間Ｒ）に物品を供給可能な一対の供給口４，４が形成される。一対の供給口４，４は、第一方向における包装袋１の中央部よりも第一方向の一端側に形成される。また、各供給口４は、各対向壁部２の第一方向の一端部（本実施形態では、折曲部２ｃ）と中間壁部３との間に形成される。
【００３７】
そして、各供給口４から各収容空間Ｒへ物品Ｘを供給し、各対向壁部２（具体的には、対向壁本体部２ａ）の閉塞連結部２ｉと中間壁部３（具体的には、中間壁本体部３ａ）の閉塞連結部３ｉとを剥離可能に連結して収容空間Ｒを閉塞することで、図３に示すように、各収容空間Ｒに物品Ｘが収容された包装袋１が形成される。該包装袋１では、第一方向において、非重合端部３ｂと収容空間Ｒとの間に各対向壁部２（具体的には、対向壁本体部２ａ）の閉塞連結部２ｉが位置し、各対向壁部２（具体的には、対向壁本体部２ａ）の閉塞連結部２ｉと中間壁部３（具体的には、中間壁本体部３ａ）の閉塞連結部３ｉとが連結された部分よりも第一方向の一端側に非重合端部３ｂが位置する。
【００３８】
そして、包装袋１を開封する際には、各対向壁部２の摘部２ｂを摘んで、各対向壁部２を中間壁部３から離間させる方向に引っぱることで、各対向壁部２（具体的には、対向壁本体部２ａ）の閉塞連結部２ｉと中間壁部３（具体的には、中間壁本体部３ａ）の閉塞連結部３ｉとが剥離する。これに続いて、各対向壁部２（具体的には、対向壁本体部２ａ）の外周連結部２ｄ（具体的には、幅狭部２ｇ）と中間壁部３（具体的には、中間壁本体部３ａ）の外周連結部３ｄ（具体的には、幅狭部３ｇ）とが剥離する。このような各対向壁部２（具体的には、対向壁本体部２ａ）の外周連結部２ｄと中間壁部３（具体的には、中間壁本体部３ａ）の外周連結部３ｄとの剥離は、各対向壁部２（具体的には、対向壁本体部２ａ）の幅広部２ｈと中間壁部３（具体的には、中間壁本体部３ａ）の幅狭部３ｇとの連結部分に達した際に剥離力が増加する。このため、各対向壁部２と中間壁部３との剥離が意図せずに進行してしまうのが防止される。
【００３９】
以上のように、本願実施形態に係る包装袋１は、他の物体との接触によって、包装袋１や他の物体が損傷するのを抑制することができる。
【００４０】
即ち、前記中間壁部３は、前記一対の対向壁部２，２との対向方向において、該一対の対向壁部２，２と重なり合わない非重合端部３ｂを一方向の一端部に備えている。そして、前記各対向壁部２は、前記一方向における前記非重合端部３ｂと前記収容空間Ｒとの間の位置で、収容空間Ｒを閉塞するように前記中間壁部３と連結される閉塞連結部２ｉを備えている。これにより、各閉塞連結部２ｉよりも一方向の一端側に非重合端部３ｂが形成される。また、該非重合端部３ｂは、一対の対向壁部２，２と重なり合わないため、各閉塞連結部２ｉと中間壁部３との連結部分よりも柔軟性を有する。
【００４１】
このため、包装袋１に一方向の一端側から他の物体が接近した際に、非重合端部３ｂが他の物体と接触するため、包装袋１と他の物体との接触による衝撃が非重合端部３ｂに緩衝される。これにより、中間壁部３と各閉塞連結部２ｉとが連結された部分が他の物体と接触する場合よりも、包装袋１や他の物体が破損するのを抑制することができる。
【００４２】
また、前記各対向壁部２は、前記一方向の一端部における前記閉塞連結部２ｉよりも前記一方向の一端側の領域であって前記中間壁部３と連結されていない非連結部２ｊを備える。このため、非連結部２ｊは、各閉塞連結部２ｉと中間壁部３との連結部分よりも柔軟性を有する。
【００４３】
これにより、包装袋１に対して一方向の一端側から他の物体が接触した際に、前記非重合端部３ｂに加えて非連結部２ｊによっても、包装袋１と他の物体との接触による衝撃が緩衝される。これにより、中間壁部３と閉塞連結部２ｉとが連結された部分が他の物体と接触する場合よりも、包装袋１や他の物体が破損するのを抑制することができる。
【００４４】
また、前記各対向壁部２は、前記閉塞連結部２ｉよりも前記一方向の一端側の位置で前記シート材が折り曲げられて形成された折曲部２ｃを備える。該折曲部２ｃでは、各対向壁部２の他の部分よりも剛性が増すことになる。これにより、包装袋１に対して一方向の一端側から他の物体が接触した際に、中間壁部３と閉塞連結部２ｉとの連結部分へ加わる衝撃を前記折曲部２ｃによっても緩衝することができる。このため、中間壁部３と閉塞連結部２ｉとの連結が意図せずに解かれたり、連結部分が損傷したりするのを抑制することができる。
【００４５】
また、前記各対向壁部２は、中間壁部３と剥離可能に連結される前記閉塞連結部２ｉと、前記一方向に直交する他方向における少なくとも一方の端部であって中間壁部３と剥離可能に連結される側方連結部２ｅとを備えており、該側方連結部２ｅは、前記閉塞連結部２ｉと連なるように形成される。
【００４６】
これにより、各閉塞連結部２ｉと中間壁部３とを剥離させる動作に連続して側方連結部２ｅと中間壁部３とを剥離させることができるため、閉塞連結部２ｉのみが中間壁部３から剥離される場合よりも、収容空間Ｒを容易に広く開封することができ、収容空間Ｒの物品をより容易に取り出すことができる。
【００４７】
なお、本発明に係る包装袋は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００４８】
例えば、上記実施形態では、各対向壁部２の第一方向の一端部に閉塞連結部２ｉが形成されているが、これに限定されるものではなく、例えば、対向壁部２の第一方向の一端部よりも他端側に閉塞連結部２ｉが形成されてもよい。具体的には、図４に示すように、各対向壁部２は、前記閉塞連結部２ｉよりも第一方向の一端側の領域であって中間壁部３と連結されていない非連結部２ｊを備えるように構成されてもよい。斯かる場合には、非連結部２ｊが摘部２ｂとなる。
【００４９】
斯かる構成によれば、前記各対向壁部２は、第一方向の一端部における前記閉塞連結部２ｉよりも第一方向の一端側の領域であって前記中間壁部３と連結されていない非連結部２ｊを備えるため、非連結部２ｊは、各閉塞連結部２ｉと中間壁部（具体的には、閉塞連結部３ｉ）との連結部分よりも柔軟性を有する。
【００５０】
このため、包装袋１に対して一方向の一端側から他の物体が接触した際に、前記非重合端部３ｂに加えて非連結部２ｊによっても、包装袋と他の物体との接触による衝撃が緩衝される。これにより、中間壁部３と閉塞連結部２ｉとが連結された部分が他の物体と接触する場合よりも、本発明の包装袋や他の物体が破損するのを抑制することができる。
【００５１】
また、図４に示す非連結部２ｊの先端部を折り返すことによって非連結部２ｊの先端部に摘部２ｂを別途形成してもよい。
【００５２】
また、上記実施形態では、対向壁部用シート材が第一方向の一端側から他端側へ折り返されて、即ち、対向壁本体部２ａに対する摘部２ｂの角度が９０°未満となるように、摘部２ｂが形成されているが、これに限定されるものではなく、例えば、図４に示すように、対向壁本体部２ａに対する摘部２ｂの角度が９０°以上となるように対向壁部用シート材が折り曲げられるように構成されてもよい。
【００５３】
また、上記実施形態では、各対向壁部２の閉塞連結部２ｉが第一方向における対応する位置に形成されているが、これに限定されるものではなく、例えば、第一方向における異なる位置に形成されてもよい。つまり、一対の対向壁部２，２を対向方向に沿って見た際に、各対向壁部２の閉塞連結部２ｉが第一方向の異なる位置に形成されるように構成されてもよい。
【００５４】
また、上記実施形態では、各対向壁部２は、第二方向の両端部に一対の側方連結部２ｅ，２ｅを備えているが、これに限定されるものではなく、例えば、第二方向の一端部のみに側方連結部２ｅを備えるように構成されてもよい。
【００５５】
また、上記実施形態では、各対向壁部２と中間壁部３とが剥離可能に連結されているが、これに限定されるものではなく、例えば、各対向壁部２と中間壁部３とが剥離できないように構成されてもよい。斯かる場合には、包装袋１を切断することで、各収容空間Ｒが開封される。
【００５６】
また、上記の各実施形態のように、各対向壁部２と中間壁部３とを連結する方法としては、特に限定されるものではなく、例えば、ヒートシールを行う方法や、接着剤や両面テープを用いる方法であってもよい。
【００５７】
また、上記実施形態では、各対向壁部２及び中間壁部３が四角形状に形成されているが、これに限定されるものではなく、例えば、円形状、楕円形状等であってもよい。
【００５８】
また、上記実施形態では、一対の対向壁部２，２及び中間壁部３を構成するシート材は、別体となっているが、これに限定されるものではなく、一対の対向壁部２，２を形成する領域を備えた一枚のシート材から一対の対向壁部２，２が形成されてもよく、一対の対向壁部２，２の少なくとも一方と中間壁部３とを形成する領域を備えた一枚のシート材から一対の対向壁部２，２の少なくとも一方と中間壁部３とが形成されてもよい。
【符号の説明】
【００５９】
１…包装袋、２…対向壁部、２ａ…対向壁本体部、２ｂ…摘部、２ｃ…折曲部、２ｄ…外周連結部、２ｅ…側方連結部、２ｆ…底側連結部、２ｇ…幅狭部、２ｈ…幅広部、２ｉ…閉塞連結部、２ｊ…非連結部、３…中間壁部、３ａ…中間壁本体部、３ｂ…非重合端部、３ｄ…外周連結部、３ｅ…側方連結部、３ｆ…底側連結部、３ｇ…幅狭部、３ｈ…幅広部、３ｉ…閉塞連結部、４…供給口、Ｒ…収容空間、Ｘ…物品
【図１】
2018012539.tif 000003
【図２】
2018012539.tif 000004
【図３】
2018012539.tif 000005
【図４】
2018012539.tif 000006